(57)【要約】      （修正有）【課題】簡潔な外観を有する携帯型電子機器を提供する。【解決手段】携帯型電子機器１００は、第１本体１１０と、第２本体１２０と、運動アセンブリ１３０と、コネクタ１４０と、エゼクタ１５０とを備える。第２本体は、中空部１２２を有し、第１本体は、第２本体に可動に配置され、中空部を覆う。運動アセンブリは、第１本体と第２本体の間に配置され、第１本体を第２本体に相対して動かすことができる。コネクタは、中空部内に可動に配置される。エゼクタは、コネクタと第２本体の間に配置される。第１本体を第２本体に相対して動かして、第２本体の中空部が露出した時に、エゼクタは、コネクタを中空部から出るように駆動することができる。【選択図】図２Ｂ
0003160922.tif 000002
【実用新案登録請求の範囲】
【請求項１】
第１本体と、
中空部を有し、且つ前記第１本体が可動に配置されて、前記中空部を覆う第２本体と、
前記第１本体と前記第２本体の間に配置され、前記第１本体を前記第２本体に相対して動かす運動アセンブリと、
前記中空部内に可動に配置されたコネクタと、
前記コネクタと前記第２本体の間に配置されたエゼクタと
を備え、前記第１本体を前記第２本体に相対して動かして、前記第２本体の前記中空部が露出した時に、前記エゼクタが、前記コネクタを前記中空部から出るように駆動する携帯型電子機器。
【請求項２】
前記エゼクタが、弾性素子を含み、前記第２本体の前記中空部が露出した時に、前記コネクタを前記中空部から出るように駆動する請求項１記載の携帯型電子機器。
【請求項３】
前記エゼクタが、プッシュプッシュ式メカニズムを備え、前記第２本体の前記中空部が露出した後、前記プッシュプッシュ式メカニズムを力で押して、前記コネクタを前記中空部から出す請求項１記載の携帯型電子機器。
【請求項４】
前記コネクタが、
複数の端子を有する筐体と、
前記端子と前記第２本体を接続する接続線と
を備えた請求項１記載の携帯型電子機器。
【請求項５】
前記第１本体を前記第２本体に相対して第１位置に動かした時に、前記第２本体の前記中空部が露出する請求項１記載の携帯型電子機器。
【請求項６】
前記運動アセンブリが、スライドモジュールを備えて、前記第１本体を前記第２本体に相対して第２位置と第３位置の間でスライドさせ、且つ前記第１位置が、前記第２位置と前記第３位置の間に設置された請求項５記載の携帯型電子機器。
【請求項７】
前記運動アセンブリが、スライドモジュールを備えて、前記第１本体を前記第２本体に相対して前記第１位置と第２位置の間でスライドさせる請求項５記載の携帯型電子機器。
【請求項８】
前記運動アセンブリが、回転モジュールを備えて、前記第１本体を前記第２本体に相対して第４位置と第５位置の間でスライドさせ、且つ前記第１位置が、前記第４位置と前記第５位置の間に設置された請求項５記載の携帯型電子機器。
【請求項９】
前記運動アセンブリが、スライドモジュールをさらに備えて、前記第１本体を前記第６位置と前記第４位置の間でスライドさせる請求項８記載の携帯型電子機器。
【考案の詳細な説明】
【技術分野】
【０００１】
この考案は、携帯型電子機器に関し、特に、隠しコネクタを有する携帯型電子機器に関する。
【背景技術】
【０００２】
技術の発展に伴い、人類は日増しに電子機器に頼るようになった。近年は、機能性やコンパクト性が求められるようになったため、それに応じて、ＵＭＰＣ（ultra mobile personal computer）、タブレットＰＣ、ポケットＰＣ、ＰＤＡ（personal digital assistance）、携帯電話、ノートパソコン等を含む様々な携帯型電子機器が開発されている。
【考案の概要】
【考案が解決しようとする課題】
【０００３】
携帯型電子機器のコネクタとしては、例えば、ＵＳＢ（universal serial bus）が通用されており、携帯型電子機器の本体の外側に配置される。そのため、携帯型電子機器の外装設計が劣化するだけでなく、塵埃や異物がコネクタ内に入って、電気的接触不良が発生しやすい。
【０００４】
そこで、この考案の目的は、簡潔な外観を有する携帯型電子機器を提供することにある。
【課題を解決するための手段】
【０００５】
この考案において、第１本体と、第２本体と、運動アセンブリと、コネクタと、エゼクタ（ejector）とを備えた携帯型電子機器を提供する。第２本体は、中空部（hollow portion）を有し、第１本体は、第２本体に可動に配置され、中空部を覆う。運動アセンブリは、第１本体と第２本体の間に配置され、第１本体を第２本体に相対して動かすことができる。コネクタは、中空部内に可動に配置される。エゼクタは、コネクタと第２本体の間に配置される。第１本体を第２本体に相対して動かして、第２本体の中空部が露出した時に、エゼクタは、コネクタを中空部から出るように駆動することができる。
【考案の効果】
【０００６】
以上のように、この考案は、携帯型電子機器のコネクタが本体の中に隠れている。コネクタを使用する時は、２つの本体をスライドまたは回転させて開くことができるため、本体からコネクタを取り出すことができる。こうして、携帯型電子機器の外観を簡潔にするとともに、露出したコネクタが塵埃や異物によって破損するのを防ぐことができる。
【０００７】
この考案の上記特徴および利点をより分かり易くするため、図面と併せた幾つかの実施形態を以下に説明する。
【図面の簡単な説明】
【０００８】
【図１】この考案の実施形態に係る携帯型電子機器の概略図である。
【図２Ａ】図１に示した携帯型電子機器の動作過程を図示したものである。
【図２Ｂ】図１に示した携帯型電子機器の動作過程を図示したものである。
【図２Ｃ】図１に示した携帯型電子機器の動作過程を図示したものである。
【図３】図２Ａから図２Ｃに示した携帯型電子機器のコネクタの概略図である。
【図４Ａ】この考案の別の実施形態に係る携帯型電子機器の動作過程を図示したものである。
【図４Ｂ】この考案の別の実施形態に係る携帯型電子機器の動作過程を図示したものである。
【図５Ａ】この考案の別の実施形態に係る携帯型電子機器の動作過程を図示したものである。
【図５Ｂ】この考案の別の実施形態に係る携帯型電子機器の動作過程を図示したものである。
【図５Ｃ】この考案の別の実施形態に係る携帯型電子機器の動作過程を図示したものである。
【図５Ｄ】この考案の別の実施形態に係る携帯型電子機器の動作過程を図示したものである。
【図６Ａ】この考案の別の実施形態に係る携帯型電子機器の動作過程を図示したものである。
【図６Ｂ】この考案の別の実施形態に係る携帯型電子機器の動作過程を図示したものである。
【図６Ｃ】この考案の別の実施形態に係る携帯型電子機器の動作過程を図示したものである。
【図７Ａ】この考案の別の実施形態に係る携帯型電子機器の動作過程を図示したものである。
【図７Ｂ】この考案の別の実施形態に係る携帯型電子機器の動作過程を図示したものである。
【図７Ｃ】この考案の別の実施形態に係る携帯型電子機器の動作過程を図示したものである。
【考案を実施するための形態】
【０００９】
図１は、この考案の実施形態に係る携帯型電子機器の概略図である。図２Ａから図２Ｃは、図１に示した携帯型電子機器の動作過程を図示したものである。図１、図２Ａ、図２Ｂおよび図２Ｃを参照すると、携帯型電子機器１００は、第１本体１１０と、第２本体１２０と、運動アセンブリ１３０と、コネクタ１４０と、エゼクタ１５０とを備える。第２本体１２０は、中空部１２２を有し、第１本体１１０は、第２本体１２０に可動に配置され、中空部１２２を覆う。運動アセンブリ１３０は、第１本体１１０と第２本体１２０の間に配置され、第１本体１１０を第２本体１２０に相対して動かすことができる。コネクタ１４０は、中空部１２２内に可動に配置される。エゼクタ１５０は、コネクタ１４０と第２本体１２０の間に配置される。
【００１０】
図２Ａから図２Ｃに示すように、本実施形態において、運動アセンブリ１３０は、スライドモジュール１３２を備え、第１本体１１０を第２本体１２０に相対して図２Ａの第２位置Ｂと図２Ｃの第３位置Ｃの間でスライドさせる。エゼクタ１５０は、弾性素子を含み、コネクタ１４０を中空部１２２から出るように駆動する。
【００１１】
また、図３は、図２Ａから図２Ｃに示した携帯型電子機器のコネクタの概略図である。図３に示すように、コネクタ１４０は、筐体１４２と、接続線１４４とを備える。筐体１４２は、複数の端子１４２ａを有し、接続線１４４は、端子１４２ａと第２本体１２０を接続する。したがって、接続線１４４は、柔軟な回路板またはケーブルでもよい。本実施形態において、ミニＵＳＢ（mini-USB）をコネクタ１４０の例として挙げるが、この考案はこれに限定されるものではない。例えば、コネクタ１４０は、ＵＳＢコネクタ、マイクロＵＳＢ（micro-USB）コネクタ、３．５ｍｍオーディオジャック（audio jack）、およびメモリーカードスロット（memory card slot）でもよい。
【００１２】
図２Ａから図２Ｃを参照すると、第１本体１１０が第２本体１２０に相対して図２Ｂの第１位置Ａにスライドした時、第２本体１２０の中空部１２２が露出する。この時、エゼクタ１５０は、コネクタ１４０を中空部１２２から飛び出すように駆動する。
【００１３】
この考案の図面に示していない別の実施形態において、エゼクタ１５０は、プッシュプッシュ式メカニズム（push-push type mechanism）でもよい。この場合、図２Ａから図２Ｃに示した上記の実施形態で述べたように、中空部１２２が第２本体１２０の外側に露出した時に、エゼクタ１５０によってコネクタ１４０が自動的に飛び出すように駆動されるのではなく、ユーザーが、コネクタ１４０を使用する時に、プッシュプッシュ式メカニズムに力を加えて、コネクタ１４０を中空部１２２から解放する。このように、コネクタ１４０を使用するタイミングは、ユーザーが決めることができる。上記に基づき、コネクタ１４０を中空部から出るように駆動することのできる部材は全て、上記のエゼクタ１５０として用いることができる。
【００１４】
また、図２Ａから図２Ｃに示したように、第１本体１１０と第２本体１２０の間で動く以外に、第１本体と第２本体の間の相対位置の変化について、以下の実施形態で説明する。また、これに応じて中空部から取り出すことのできるコネクタについても、ここで説明する。
【００１５】
図４Ａおよび図４Ｂは、この考案の別の実施形態に係る携帯型電子機器の動作過程を図示したものである。本実施形態において、携帯型電子機器２００は、第１本体２１０と、第２本体２２０と、運動アセンブリ２３０と、コネクタ２４０と、エゼクタ２５０とを備える。本実施形態において、運動アセンブリ２３０は、スライドモジュール２３２を備え、エゼクタ２５０は、弾性素子を含む。スライドモジュール２３２は、第１本体２１０と第２本体２２０の間に配置され、第１本体２１０を第２本体２２０に相対して図４Ａの第２位置Ｅと図４Ｂの第１位置Ｄの間でスライドさせる。第１本体２１０が第１位置Ｄにスライドした時、第２本体２２０の中空部２２２が第２本体２２０の外側に露出するため、コネクタ２４０は、エゼクタ２５０によって中空部２２２から飛び出すことができる。この点で、本実施形態における第２本体２２０のコネクタ２４０の位置は、前の実施形態の第２本体１２０のコネクタ１４０の位置と異なる。
【００１６】
図５Ａから図５Ｄは、この考案の別の実施形態に係る携帯型電子機器の動作過程を図示したものである。図５Ａから図５Ｄを参照すると、本実施形態において、携帯型電子機器３００は、第１本体３１０と、第２本体３２０と、運動アセンブリ３３０と、コネクタ３４０と、エゼクタ３５０とを備える。本実施形態において、運動アセンブリ３３０は、回転モジュール３３４を備え、エゼクタ３５０は、弾性素子を含む。
【００１７】
回転モジュール３３４は、第１本体３１０を第２本体３２０に相対して図５Ａの第４位置Ｆと図５Ｄの第５位置Ｇの間で回転するように駆動する。第１本体３１０が第４位置Ｆから離れた時、エゼクタ３５０は、コネクタ３４０を中空部３２２から解放する。しかしながら、図５Ｂに示すように、コネクタ３４０は第１本体３１０によって制限されており、中空部３２２から完全に出ることはできない。第１本体３１０が図５Ｃの第１位置Ｈに回転した時に初めて、コネクタ３４０は、中空部３２２から完全に出ることができる。
【００１８】
ここで、コネクタ３４０が中空部３２２から完全に飛び出すかどうかは、第１本体３１０と第２本体３２０の間の角度によって決まるが、この考案はこれに限定されるものではない。設計者は、設計の要求に応じて、必要な修正を加えることができる。また、この考案の図面に示していない別の実施形態において、プッシュプッシュ式メカニズム（図示せず）をエゼクタ３５０として用いてもよい。第２本体３２０の中空部３２２が第２本体３２０の外側に完全に露出した時に、ユーザーが、プッシュプッシュ式メカニズムに力を加えて、コネクタ３４０を外に出すことができる。
【００１９】
図６Ａから図６Ｃは、この考案の別の実施形態に係る携帯型電子機器の動作過程を図示したものである。図６Ａから図６Ｃを参照すると、携帯型電子機器４００は、第１本体４１０と、第２本体４２０と、運動アセンブリ４３０と、コネクタ４４０と、エゼクタ４５０とを備える。
【００２０】
本実施形態と前の実施形態の違いは、運動アセンブリ４３０がスライドモジュール４３２と、回転モジュール４３４とを備えていることである。エゼクタ４５０は、弾性素子を含む。スライドモジュール４３２によって、第１本体４１０は、図６Ａの第６位置Ｉと図６Ｂの第７位置Ｊの間でスライドする。第１本体４１０が第７位置Ｊにスライドした時、第１本体４１０は、回転モジュール４３４によって、第７位置Ｊと図６Ｃの第１位置Ｋの間で回転する。本実施形態において、第１本体４１０が回転して一度第７位置Ｊから離れると、エゼクタ４５０がコネクタ４４０を中空部４２２から飛び出すように駆動する。
【００２１】
この考案の図面に示していない別の実施形態において、プッシュプッシュ式メカニズムをエゼクタ３５０として用いてもよい。第１本体４１０が第１位置に回転した時、プッシュプッシュ式メカニズムに力を加えて、コネクタ４４０を中空部４２２から出す。
【００２２】
図７Ａから図７Ｃは、この考案の別の実施形態に係る携帯型電子機器の動作過程を図示したものである。図７Ａから図７Ｃを参照すると、本実施形態の携帯型電子機器５００において、運動アセンブリ５３０は、上述した運動アセンブリ４３０と異なる。そのため、携帯型電子機器５００における第２本体４２０に相対する第１本体４１０の回転は、前の実施形態で説明した携帯型電子機器４００の回転と異なる。しかしながら、コネクタ４５０が中空部４２２から出るタイミングとコネクタ４５０の位置は、前の実施形態と同じため、ここでは再度説明しない。
【００２３】
以上のように、この考案の上記実施形態に係る携帯型電子機器は、隠れコネクタを有する。そのため、コネクタを使用しない時は、本体の外側に露出させないで、中空部内に隠すことができる。その結果、この考案の携帯型電子機器は、簡潔な外観を有する。逆に、コネクタを使用する時は、本体間の相対運動によってコネクタを本体の外側に露出させ、エゼクタによって中空部から出すことができる。
【００２４】
以上のごとく、この考案を実施形態により開示したが、もとより、この考案を限定するためのものではなく、当業者であれば容易に理解できるように、この考案の技術思想の範囲内において、適当な変更ならびに修正が当然なされうるものであるから、その実用新案権保護の範囲は、実用新案請求の範囲および、それと均等な領域を基準として定められなければならない。
【符号の説明】
【００２５】
１００、２００、３００、４００、５００  携帯型電子機器
１１０、２１０、３１０、４１０  第１本体
１２０、２２０、３２０、４２０  第２本体
１２２、２２２、３２２、４２２  中空部
１３０、２３０、３３０、４３０、５３０  運動アセンブリ
１３２、２３２、４３２  スライドモジュール
１４０、２４０、３４０、４４０  コネクタ
１４２  筐体
１４２ａ  端子
１４４  接続線
１５０、２５０、３５０、４５０  エゼクタ
３３４、４３４  回転モジュール
Ａ、Ｄ、Ｈ、Ｋ  第１位置
Ｂ、Ｅ  第２位置
Ｃ  第３位置
Ｆ  第４位置
Ｇ  第５位置
Ｉ  第６位置
Ｊ  第７位置
【図１】
0003160922.tif 000003
【図２Ａ】
0003160922.tif 000004
【図２Ｂ】
0003160922.tif 000005
【図２Ｃ】
0003160922.tif 000006
【図３】
0003160922.tif 000007
【図４Ａ】
0003160922.tif 000008
【図４Ｂ】
0003160922.tif 000009
【図５Ａ】
0003160922.tif 000010
【図５Ｂ】
0003160922.tif 000011
【図５Ｃ】
0003160922.tif 000012
【図５Ｄ】
0003160922.tif 000013
【図６Ａ】
0003160922.tif 000014
【図６Ｂ】
0003160922.tif 000015
【図６Ｃ】
0003160922.tif 000016
【図７Ａ】
0003160922.tif 000017
【図７Ｂ】
0003160922.tif 000018
【図７Ｃ】
0003160922.tif 000019
【手続補正書】
【提出日】平成22年5月12日(2010.5.12)
【手続補正１】
【補正対象書類名】実用新案登録請求の範囲
【補正対象項目名】請求項９
【補正方法】変更
【補正の内容】
【請求項９】
前記運動アセンブリが、スライドモジュールをさらに備えて、前記第１本体を第６位置と前記第４位置の間でスライドさせる請求項８記載の携帯型電子機器。